(57)【要約】【課題】スキュー調整機構の接線方向回転軸ＸＴを光ピックアップのスポット軌跡Ｌに近い位置に置くことで、調整時の光ピックアップの高さ変化が少ないスキュー調整機構を有する光ディスク装置を提供する。【解決手段】ドロワー１７上に備えられるメインシャーシ１６とサブシャーシ２とを有しており、光ピックアップのスポット軌跡Ｌに平行でありスポット軌跡Ｌの近傍にある接線方向回転軸ＸＴと、これに垂直な半径方向回転軸ＸＲとを基準にスキュー調整されるメインシャーシ１６とサブシャーシ２とのスキュー調整機構を有する光ディスク装置。これにより、調整時の光ピックアップの高さ変化が少なく、歪の少ないスキュー調整が可能となる。【選択図】　　図１
2004005819.tif 000002
【特許請求の範囲】
【請求項１】
ディスクモータにより回転される光ディスクに対し光ピックアップによりビーム照射してデータを記録又は再生処理を行う光ディスク装置であって、
キャビネットから引き出されるドロワーと、
前記ドロワー上に備えられ、前記ディスクモータを有するメインシャーシと、このメインシャーシ上に設けられ、前記光ピックアップの送り機構を有するサブシャーシとを具備しており、
前記メインシャーシと前記サブシャーシは、前記光ピックアップのスポット軌跡に平行であり前記スポット軌跡の近傍にある接線方向回転軸と、前記接線方向回転軸に垂直な半径方向回転軸とを基準にスキュー調整されるスキュー調整機構を有することを特徴とする光ディスク装置。
【請求項２】
前記スキュー調整機構は、前記光ピックアップのスポット軌跡に対称に各々位置し前記半径方向回転軸上の第１の位置と第２の位置、更に前記光ピックアップのスポット軌跡の延長上であって前記接線方向回転軸上に位置する第３の位置とにおいて付勢されスキュー調整されることを特徴とする請求項１記載の光ディスク装置。
【請求項３】
前記メインシャーシと前記サブシャーシの間にアームとこれに接するカムを設け、このカムを回転させることで前記接線方向回転軸を基準にスキュー調整を行うことを特徴とする請求項１記載の光ディスク装置。
【請求項４】
前記サブシャーシに接している半径方向スキュー調整カムギアとこれに同軸のチルトサーボモータにより前記半径方向回転軸を基準にスキュー調整されることを特徴とする請求項１記載の光ディスク装置。
【請求項５】
前記サブシャーシに接している半径方向スキュー調整カムギアを回転させることで、前記半径方向回転軸を基準にスキュー調整し、前記メインシャーシと前記サブシャーシの間に設けられたアームに接しており溝を有するカムを回転させることで、前記接線方向回転軸を基準にスキュー調整を行うことを特徴とする請求項１記載の光ディスク装置。
【発明の詳細な説明】
【０００１】
【発明の属する技術分野】
本発明は、光ディスク装置に関し、特に光ピックアップ機構やディスクモータを格納するメインシャーシとサブシャーシとのスキュー調整機構を有する光ディスク装置に関するものである。
【０００２】
【従来の技術】
最近、光ディスク装置が普及する中で、装置全体に小型化と高性能化が求められてきている。そのため、光ディスク装置の構造においても、メカ的な精度の高さが要求されている。従って、例えば、光ピックアップ機構やディスクモータを格納するサブシャーシとメインシャーシとのスキュー調整機構においても、小型化と高精度化の両立が望まれている。
【０００３】
例えば、特開２００１−６０３２３号公報においては、サブシャーシとメインシャーシとのスキュー調整機構が開示されており、接線方向回転軸と半径方向回転軸とを基準にスキュー調整が行われる。しかしながら、誤差の基準となる光ピックアップのスポット軌跡に対して、接線方向回転軸はこれに平行ではあるが、光ピックアップのスポット軌跡と接線方向回転軸とが離れた位置に存在することになる構造でスキュー調整することとなる。このため、構造的なバランスが悪く、調整時の光ピックアップの高さ変化が大きくなり、誤差が生じやすいという問題がある。
【０００４】
【発明が解決しようとする課題】
すなわち、従来装置においては、サブシャーシとメインシャーシとのスキュー調整機構において、誤差の基準となる光ピックアップのスポット軌跡に対して、接線方向回転軸と光ピックアップのスポット軌跡とが離れた位置に存在することになる構造でスキュー調整しているため、構造的なバランスが悪く、調整時のヘッドアクチュエータのストロークが大きくなり、スポット軌跡に対して左右のバランスが悪く誤差が生じやすいという問題がある。
【０００５】
本発明は、スキュー調整機構の接線方向回転軸が光ピックアップのスポット軌跡に近い位置にくるようなスキュー調整機構とすることで、調整が容易で調整時の光ピックアップの高さ変化が少ないメインシャーシとサブシャーシのスキュー調整機構を有する光ディスク装置を提供することを目的とする。
【０００６】
【課題を解決するための手段】
本発明は上記課題を解決するべく、光ディスクに対しディスクモータにより回転し光ピックアップによりビーム照射して記録又は再生処理を行う光ディスク装置であって、キャビネットＢから引き出されるドロワー１７と、前記ドロワー上に備えられ、前記光ピックアップの送り機構３と前記ディスクモータ１０とを挟み込んで組み合わされるメインシャーシ１６とサブシャーシ２とを具備しており、前記メインシャーシと前記サブシャーシとは、前記光ピックアップのスポット軌跡Ｌに平行であり前記スポット軌跡の近傍にある接線方向回転軸ＸＴと、前記接線方向回転軸に垂直な半径方向回転軸ＸＲとを基準にスキュー調整されるスキュー調整機構を有することを特徴とする光ディスク装置である。
【０００７】
本発明は、メインシャーシ１６とサブシャーシ２とのスキュー調整構造において、特にスキュー調整構造の接線方向回転軸ＸＴを、誤差の基準となる光ピックアップのスポット軌跡Ｌにできるだけ近い位置に来るように、光ピックアップのスポット軌跡Ｌの延長上であって接線方向回転軸ＸＴ上に位置する位置１に付勢を設けるものである。更に光ピックアップのスポット軌跡Ｌに対称に左右の半径方向回転軸ＸＲ上の位置４と位置５で付勢を設けている。更に、接線方向調整アーム１３で接線方向回転軸ＸＴを基準にスキュー調整するものである。こうすることにより、光ピックアップのスポット軌跡Ｌ上の接線方向回転軸ＸＴに関してスキュー調整することとなるため、調整時の光ピックアップの高さ変化が少なく、バランスがよく歪の少ないスキュー調整機構を有する光ディスク装置を提供することができる。
【０００８】
【発明の実施の形態】
以下、図面を参照しながら本発明に係る光ディスク装置を図面を用いて、詳細に説明する。図１は本発明に係る光ディスク装置のキャビネットとドロワーとメインシャーシとを示す斜視図、図２は本発明に係る光ディスク装置のメインシャーシとサブシャーシと構成部品とを示す分解図である。
【０００９】
（スキュー調整機構）
本発明に係る光ディスク装置は、図１及び図２において、キャビネットＢから光ディスクが格納されるドロワー１７と、ドロワー１７に備えられるメインシャーシ１６とサブシャーシ２とを有している。更に、図２、図３で説明する接線方向の調整カムのキー溝部１１−ａが示されている。
【００１０】
更に図２において、メインシャーシとサブシャーシ更に構成部品の分解図が示される。メインシャーシ１６内には、接線方向調整アーム１３が設けられ、モータ中心軸１６−ａにてメインシャーシ１６上に回転支持され、回転付勢バネ１２により接線方向スキュー調整カム１１に付勢壁１３−ａを当て付けることによりその位置（角度）を規制することができる。接線方向調整アーム１３上の主・副軸両側端部には、光ピックアップのアーム中心軸１３−ｂであり、光ピックアップのスポット軌跡Ｌに対称な位置に、互いに相似な調整カムブロック（Ｒ）１４と調整カムブロック（Ｌ）１５が対向して形成されている。ディスクモータ１０は、同じくモータ中心軸１６−ａ上にメインシャーシ１６上に固定され、半径方向スキュー調整カムギア７がメインシャーシ１６上のディスクモータ１０近傍の光ピックアップ３の反対側に回転支持される。更に、半径方向スキュー調整カムギア７に係合する駆動ギア８と、これを駆動するチルト駆動モータ９がメインシャーシ１６上に支持される。
【００１１】
一方、サブシャーシ２内には、光ピックアップ３と駆動機構１９が組みつけられ、裏面に形成された３つの球面突起２−ａ、２−ｂ、２−ｃにおいてカム７、１４、１５のそれぞれの面上に圧縮バネ６によって付勢される。カムブロック１４、１５と同様に、球面突起２−ａ、２−ｂは、接線方向回転軸ＸＴに対称に配置されており、球面突起２−ｃは、接線方向回転軸ＸＴの線上であって、図１に示す光ピックアップの軌跡Ｌの延長上に配置されている。位置決め板（Ｌ）４と位置決め板（Ｒ）５は、サブシャーシ２をメインシャーシ１６上に位置決めし、圧縮バネ６を押えている位置決め板（Ｌ）４と位置決め板（Ｒ）５、ばね押え板１は調整カムギア７上に球面突起２−ｃを付勢する圧縮バネ６を押えている。
【００１２】
このように、サブシャーシ２は、光ピックアップの軌跡Ｌと重なる接線方向回転軸ＸＴ上に位置するばね押え板１の位置、そして、接線方向回転軸ＸＴに垂直な半径方向回転軸ＸＲ上の位置決め板（Ｌ）４の位置、同じく位置決め板（Ｒ）５の位置の、三点の位置（図２中の三つの矢印）で付勢されている。更に、接線方向調整アーム１３により、接線方向回転軸ＸＴを基準に、接線方向スキュー調整カム１１によりスキュー調整が可能となる。
【００１３】
（スキュー調整動作）
このように構成されるスキュー調整機構の実際のスキュー調整動作（接線方向、半径方向）を図３乃至図６により説明する。図３は、メインシャーシとサブシャーシの接線方向動作において、右上がりを示す図、図４は、光ディスク装置のメインシャーシとサブシャーシの接線方向動作において、中立を示す図、図５は、メインシャーシとサブシャーシの接線方向動作において、左上がりを示す図、図６は、メインシャーシとサブシャーシの半径方向動作を説明する図を示す。
【００１４】
図３は調整カム１１の回転により調整アーム１３がθ１度、右回転した状態で、対向した調整カムブロック（Ｌ）１５、調整カムブロック（Ｒ）１４の作用により中立位置からＲ側がアップした分だけＬ側がダウンすることにより光ピックアップ中心付近の高さを一定に保ちながら、スキュー角度（接線方向）をθｔ１度変化させている。
【００１５】
図４は中立状態での位置関係で、調整カムブロック（Ｌ）１５、調整カムブロック（Ｒ）１４の各々中央部に、二つの球面突起２−ａ，２−ｂが付勢しており、基本的にメインシャーシ１６とサブシャーシ２が平行となる。
【００１６】
図５は図３とは逆に調整アーム１３がθ２度左回転した状態、Ｒ側が下がり、同じ量Ｌ側が上昇することにより光ピックアップ中心の高さを保ちながら接線方向のスキューをθｔ２度変化させている。
【００１７】
従って、調整カム１１を回転させることにより、光ピックアップのスポット軌跡Ｌと接線方向回転軸ＸＴとがほぼ重なって位置しているため、光ピックアップ中心（スポット軌跡近傍）の高さを変えることなく、接線方向のスキューを調整することができる。これにより、従来装置であったように、接線方向回転軸ＸＴが光ピックアップのスポット軌跡Ｌから離れた位置にあり、調整時に光ピックアップの高さが変化することで、誤差が生じるということがない。
【００１８】
（半径方向のスキュー調整）
次に図６にて半径方向のスキュー調整要領を説明する。図６の（ａ）は球面突起（Ｃ）２−ｃがカムギア７の最下点に導かれ、モータ側を下にして半径方向にθｒ１度スキュー変化した状態を示している。（ｂ）は中立位置、（ｃ）はカムギア最上点に従いモータ側を上にしてθｒ２度の半径方向スキュー変化した状態を示している。回転軸は球面突起（Ｒ）２−ａと球面突起（Ｌ）２−ｂを結ぶ半径方向回転軸ＸＲで、光ピックアップ３の内外周ストロークのほぼ中間点に配置しているため、半径方向のスキュー調整による光ピックアップ中央近傍の高さ変化量を内外周に振り分けており、最小限に抑えることができる。
【００１９】
なお、この実施形態において、カムギア７は駆動ギア８とチルト駆動モータ９により電動調整が可能で、再生記録動作中のラジアル方向スキュー調整、いわゆるチルトサーボを容易に行うことができる。これは、ノートパソコン用のスリム型光ディスク再生記録ドライブにも適用可能なチルトサーボ機構である。
【００２０】
（チルト駆動モータによるチルト制御）
更に本発明の実施形態において、図２の構成において、駆動ギア８、駆動モータ９を削除して、半径方向スキュー調整カムギア７だけを残すことにより、半径方向を調整可能なスキュー調整機構となる。一方、接線方向スキュー調整カム１１の裏面にキー溝１１−ａ等を形成し、回転可能に構成することにより、接線方向のスキュー調整機能となり、両者によって、接線方向と半径方向とを独立して調整することができる。これは、再生記録動作中のアクティブなチルト制御を必要としないドライブに適用することができる。
【００２１】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【００２２】
【発明の効果】
以上詳述したように本発明によれば、スキュー調整機構の接線方向回転軸ＸＴが光ピックアップのスポット軌跡Ｌに近い位置となるようにサブシャーシの付勢位置を配置したスキュー調整機構を構成することで、調整時の光ピックアップの高さ変化が少ないスキュー調整機構を有する光ディスク装置を提供することができる。
【図面の簡単な説明】
【図１】本発明に係る光ディスク装置のキャビネットとドロワーとメインシャーシとを示す斜視図。
【図２】本発明に係る光ディスク装置のメインシャーシとサブシャーシと構成部品とを示す分解図。
【図３】本発明に係る光ディスク装置のメインシャーシとサブシャーシの接線方向動作において、右上がりを示す図。
【図４】本発明に係る光ディスク装置のメインシャーシとサブシャーシの接線方向動作において、中立を示す図。
【図５】本発明に係る光ディスク装置のメインシャーシとサブシャーシの接線方向動作において、左上がりを示す図。
【図６】本発明に係る光ディスク装置のメインシャーシとサブシャーシの半径方向動作を説明する図。
【符号の説明】
Ｂ…キャビネット、１…ばね押え板、２…サブシャーシ、２−ａ…球面突起（Ｒ）、２−ｂ…球面突起（Ｌ）、２−ｃ…球面突起（Ｃ）、ＸＲ…半径方向回転軸、ＸＴ…接線方向回転軸、３…光ピックアップ、４…位置決め板（Ｌ）、５…位置決め板（Ｒ）、６…圧縮バネ、７…半径方向スキュー調整カムギア、８…駆動ギア、９…駆動モータ、１０…ディスクモータ、１１…接線方向スキュー調整カム、１１−ａ…キー溝、１２…回転付勢バネ、１３…接線方向調整アーム、１３−ａ…付勢壁、１３−ｂ…アーム中心軸、１４…調整カムブロック（Ｒ）、１５…調整カムブロック（Ｌ）、１６…メインシャーシ、１６−ａ…モータ中心軸、１７…ドロワー１８…底板。
【図１】
2004005819.tif 000003
【図２】
2004005819.tif 000004
【図３】
2004005819.tif 000005
【図４】
2004005819.tif 000006
【図５】
2004005819.tif 000007
【図６】
2004005819.tif 000008